(57)【要約】【目的】安定して持つことができる安価な把手及びそれを用いた容器を提供する。【構成】一端部１１１、１２１同士がヒンジ結合される把手部材１１０、１２０を有する把手本体１００と、冷水筒１０に外面に設けられ且つ把手部材１１０の他端部１１２を回動自在に軸支する軸支部２００と、冷水筒１０に外面に設けられ且つ軸支部２００の下方に配置される部材であって、把手部材１２０の他端部１２２を冷水筒１０の外面に沿ってスライド可能にかつ回動自在に軸支する軸支部３００を具備し、把手部材１２０の他端部１２２が軸支部３００の上端位置にあるときには、把手本体１００が略く字状に折れ曲がる一方、把手部材１２０の他端部１２２が軸支部３００の下端位置にあるときには、把手本体１００が略直線状になり、軸支部３００の少なくとも上端位置には、把手部材１２０の他端部１２２を位置決め保持する位置決め手段３１１が設けられる。【選択図】      図１
2004196314.tif 000002
【特許請求の範囲】
【請求項１】
一端部同士がヒンジ結合される第１、第２の把手部材を有する把手本体と、容器の外面に設けられ且つ前記第１の把手部材の他端部を回動自在に軸支する第１の軸支部と、容器の外面且つ前記第１の軸支部の下方位置に配設される部材であって、前記第２の把手部材の他端部を容器の外面に沿って上下方向にスライド可能に保持すると共に回動自在に軸支する第２の軸支部とを具備し、前記第２の把手部材の他端部が第２の軸支部の上端位置にあるときには、前記把手本体が略く字状に折れ曲がる一方、前記第２の把手部材の他端部が第２の軸支部の下端位置にあるときには、前記把手本体が容器の外面に沿って略直線状になる把手において、前記第２の軸支部の少なくとも上端位置には、前記把手本体が略く字状に折れ曲がった状態で、前記第２の把手部材の他端部を位置決め保持する位置決め手段が設けられていることを特徴とする把手。
【請求項２】
請求項１記載の把手において、前記第２の軸支部は、容器の外面に沿って上下方向に伸びる略直方体の凸部であって、その側面にはスリット又は案内溝が設けられており、前記第２の把手部材の他端部は、前記第２の軸支部に嵌合し得るように略Ｕ字状にされており、この先端部には前記スリット又は案内溝にスライド可能に軸支されるガイド棒が設けられていることを特徴とする把手。
【請求項３】
請求項１又は２記載の把手において、前記位置決め手段は、前記第２の軸支部の上端位置に設けられた係止溝であることを特徴とする把手。
【請求項４】
請求項１、２又は３記載の把手を有することを特徴とする容器。
【発明の詳細な説明】
【０００１】
【発明の属する技術分野】
本発明は、容器の外面に沿って折り畳み可能に設けられる把手及びそれを用いた容器に関する。
【０００２】
【従来の技術】
このような液体容器の把手は、一端部同士がヒンジ結合される第１、第２の把手部材を有する把手本体と、容器の外面に設けられる部材であって、前記第１の把手部材の他端部を容器の外面に沿って上下方向にスライド可能に保持すると共に回動自在に軸支する第１の軸支部と、容器の外面且つ前記第１の軸支部の下方位置に配設される部材であって、前記第２の把手部材の他端部を容器の外面に沿って上下方向にスライド可能に保持すると共に回動自在に軸支する第２の軸支部と、前記第２の軸支部に設けられており且つ第２の把手部材の下端に接してこれを上方に付勢する弾性体とを具備し、前記第１の把手部材の他端部が第１の軸支部の下端位置、前記第２の把手部材の他端部が第２の軸支部の上端位置にあるときには、前記把手本体が略く字状に折れ曲がる一方、前記第１の把手部材の他端部が第１の軸支部の上端位置、前記第２の把手部材の他端部が第２の軸支部の下端位置にあるときには、前記把手本体が容器の外面に沿って略直線状になる構成となっている（特許文献１参照）。
【０００３】
【特許文献１】
特開平０８−１７７１１８号公報
【０００４】
しかしながら、前記把手は第１、第２把手部材がスライド自在になっていることから、当該把手を持ち、液体容器内の液体を注ごうとすると、安定性に欠けるという欠点がある。しかも、第１、第２把手部材が共にスライド自在になっていることから、部品点数が増加しコスト高になるという欠点も有している。
【０００５】
【発明が解決しようとする課題】
本発明は、上記事情に鑑みて創案されたものであって、安定して持つことができる安価な把手及びそれを用いた容器を提供することを目的としている。
【０００６】
【課題を解決するための手段】
上記課題を解決するために、本発明の把手は、一端部同士がヒンジ結合される第１、第２の把手部材を有する把手本体と、容器の外面に設けられ且つ前記第１の把手部材の他端部を回動自在に軸支する第１の軸支部と、容器の外面且つ前記第１の軸支部の下方位置に配設される部材であって、前記第２の把手部材の他端部を容器の外面に沿って上下方向にスライド可能に保持すると共に回動自在に軸支する第２の軸支部とを具備し、前記第２の把手部材の他端部が第２の軸支部の上端位置にあるときには、前記把手本体が略く字状に折れ曲がる一方、前記第２の把手部材の他端部が第２の軸支部の下端位置にあるときには、前記把手本体が容器の外面に沿って略直線状になる把手において、前記第２の軸支部の少なくとも上端位置には、前記把手本体が略く字状に折れ曲がった状態で、前記第２の把手部材の他端部を位置決め保持する位置決め手段が設けられていることを特徴としている。
【０００７】
より好ましくは、前記第２の軸支部は、容器の外面に沿って上下方向に伸びる略直方体の凸部であって、その側面にはスリット又は案内溝を有しており、前記第２の把手部材の他端部は、前記第２の軸支部に嵌合し得るように略Ｕ字状にされており、この先端部には前記スリット又は案内溝にスライド可能に軸支されるガイド棒が設けられていることが望ましい。
【０００８】
より好ましくは、前記位置決め手段は、前記第２の軸支部の上端位置に設けられた係止溝であることが望ましい。
【０００９】
【発明の実施の形態】
以下、本発明の実施の形態に係る容器に用いられる把手について図面を参照しながら説明する。図１は本発明の実施の形態に係る容器に用いられる把手の概略的側面図、図２は本把手の第１の把手部材を説明するための図であって、（ａ）は概略的正面図、（ｂ）は概略的側面図、（ｃ）は概略的背面図、図３は本把手の第１及び第２の把手部材が取り外された状態を示す概略的側面図、図４は本把手の第２の把手部材を説明するための図であって、（ａ）は概略的正面図、（ｂ）は概略的側面図、（ｃ）は概略的背面図、図５は同把手の第２の軸支部の設計変更例を示す概略的斜視図である。
【００１０】
ここに掲げる把手は、お茶等を冷蔵庫で冷やすための冷水筒１０( 容器) の外面に設けられる把手であって、一端部１１１、１２１同士がヒンジ結合される第１、第２の把手部材１１０、１２０を有する把手本体１００と、冷水筒１０の外面に設けられ且つ第１の把手部材１１０の他端部１１２を回動自在に軸支する第１の第１の軸支部２００と、第１の軸支部２００の下方位置に設けられ且つ第２の把手部材１２０の他端部１２２を回動自在に軸支する第２の軸支部３００を具備している。以下、各部を詳しく説明する。
【００１１】
把手本体１００の第１の把手部材１１０は、図１及び２に示すように、プラスチックからなる形成品であって、一端部１１１が略凸字状にされている一方、他端部１１２が略Ｕ字状にされている。一端部１１１の先端部には、第２の把手部材１２０の一端部１２１とヒンジ結合されるためのピン部４００が挿入される孔部１１３が開設されている。同様に他端部１１２の先端部にも、第１の軸支部２００に軸支されるためのピン部４００が挿入される孔部１１４が開設されている。
【００１２】
第１の軸支部２００は、図１及び３に示すように、冷水筒１０の外面に設けられたヒンジ部材であり、略Ｕ字状にされた第１の把手部材１１０の他端部１１２と嵌合する。また、第１の軸支部２００は、他端部１１２に嵌合した状態で、第１の把手部材１１０の他端部１１２の孔部１１４と連通する孔部２１０が開設されている。孔部２１０は、第１の把手部材１１０の孔部１１４と連通した状態で、ピン部４００が挿入される。これにより、第１の把手部材１１０が冷水筒１０の外面に回動自在に軸支される。
【００１３】
把手本体１００の第２の把手部材１２０は、図１及び４に示すように、プラスチックからなる形成品であって、一端部１２１が略Ｕ字状にされており、略凸字状にされた第１の把手部材１１０の一端部１１１と嵌合する。また、この一端部１２１は、第１の把手部材１１０の一端部１１１に嵌合した状態で、一端部１１１の孔部１１３と連通する孔部１２３、１２３が開設されている。孔部１２３、１２３は、孔部１１３と連通した状態で、ピン部４００が挿入される。これにより、第１、第２の把手部材１１０、１２０の一端部１１１、１２１同士がヒンジ結合される。
【００１４】
一方、第２の把手部材１２０の他端部１２２は、一端部１２１と同様に略Ｕ字状にされており、後述する把手本体１００が冷水筒１０に外面に沿って略直線状になった状態で、第２の軸支部３００と嵌合し得るように一端部が開放された嵌合部１２４が設けられている。また、第２の把手部材１２０の他端部１２２は、先端部に孔部１２５、１２５が設けられている。この孔部１２５、１２５には、後述する第２の軸支部３００に案内されるガイド棒１２６が挿入される。このガイド棒１２６は、第２の把手部材１２０の他端部１２２の先端部を後述する第２の軸支部３００のスリット３１０の開口に近づけた状態で、孔部１２５、１２５及びスリット３１０に挿入される。このようにしてガイド棒１２６は、スリット３１０にスライド自在に保持される。
【００１５】
第２の軸支部３００は、冷水筒１０の外面に沿って上下方向に伸びる略直方体の凸部であって、その側面にスリット３１０が設けられている。このスリット３１０の上端部から下端部にかけて第２の把手部材１２０のガイド棒１２６がスライド移動することにより、把手本体１００が略く字状に折れ曲がったり冷水筒１０の外面に沿って略直線状になったりする。また、スリット３１０の上下端部の外側には、第２の把手部材１２０のガイド棒１２６を係止する係止溝３１１、３１２( 位置決め手段) が各々設けられている。この係止溝３１１、３１２にガイド棒１２６が係止されることにより、把手本体１００は略く字状に折れ曲がったり冷水筒１０の外面に沿って略直線状になった状態で位置決め保持される。これが本願発明の特徴部分である。なお、スリット３１０に換えて案内溝を設けることも可能である。
【００１６】
このように構成された把手の動作を以下に説明する。まず、冷水筒１０に外面に沿って略直線状になった状態の把手本体１００を持ち、冷水筒１０から離すように引っ張る。すると、第２の把手部材１２０のガイド棒１２６が第２の軸支部３００のスリット３１０の下端部から上端部にかけてスライド移動し、これに伴ってヒンジ結合された第１、第２の把手部材１１０、１２０の一端部１１１、１２１が回動する一方、第１の把手部材１１０の他端部１１２が第１の軸支部２００に軸支されて回動する。その後、把手本体１００が略く字状に折れ曲がり、第２の把手部材１２０のガイド棒１２６がスリット３１０の係止溝３１１に係止される。このようにして把手本体１００は略く字状に折れ曲がった状態で保持される。
【００１７】
一方、略く字状に折れ曲がった状態の把手本体１００を変形させる場合には、当該把手本体１００を持ち、冷水筒１０の外面に向けて押す。すると、第２の把手部材１２０のガイド棒１２６が第２の軸支部３００のスリット３１０の上端部から下端部にかけてスライド移動し、これに伴ってヒンジ結合された第１、第２の把手部材１１０、１２０の一端部１１１、１２１が回動する一方、第１の把手部材１１０の他端部１１２が第１の軸支部２００に軸支されて回動する。その後、把手本体１００は冷水筒１０に外面に沿って略直線状になり、第２の把手部材１２０のガイド棒１２６がスリット３１０の係止溝３１１に係止される。このようにして把手本体１００は冷水筒１０に外面に沿って略直線状の状態で保持される。
【００１８】
以上のような把手による場合、把手本体１００は、クリック感をもって、略く字状に折れ曲がった状態、冷水筒１０に外面に沿って略直線状になった状態で位置決め保持されるので、冷水筒１０内のお茶等を注ぐ際に、従来の把手と比べて安定して持つことができる。しかも、把手本体１００、第１の軸支部２００及び第２の軸支部３００とで構成されているので、部品点数が少なく、組み立てが非常に容易でなる。従って、低コスト化を図る上でメリットがある。なお、前記把手は以下のように設計変更することが可能である。
【００１９】
把手は、図５に示すように、一対の第２の軸支部３００を設けることが可能である。このとき、第２の把手部材１２０の他端部１２２は、外側に向けてガイド棒１２６、１２６を設ける。
【００２０】
また、把手は、ここでは、第２の軸支部３００のスリット３１０には、上端部及び下端部に係止溝３１１、３１２が設けられいるとしたが、少なくとも上端部にさえ設けられていれば良い。
【００２１】
なお、ここでは、冷水筒１０に用いられる把手として説明したが、これに限定されることはなく、水筒等の液体容器、調味料入れ等の容器に用いることができる。また、ここでは把手として説明したが、この把手を有する容器とすることも当然可能である。
【００２２】
【発明の効果】
以上、説明したように、本願の請求項１に係る把手は、一端部同士がヒンジ結合される第１、第２の把手部材を有する把手本体と、容器の外面に設けられ且つ前記第１の把手部材の他端部を回動自在に軸支する第１の軸支部と、容器の外面且つ前記第１の軸支部の下方位置に配設される部材であって、前記第２の把手部材の他端部を容器の外面に沿って上下方向にスライド可能に保持すると共に回動自在に軸支する第２の軸支部とを具備し、前記第２の把手部材の他端部が第２の軸支部の上端位置にあるときには、前記把手本体が略く字状に折れ曲がる一方、前記第２の把手部材の他端部が第２の軸支部の下端位置にあるときには、前記把手本体が容器の外面に沿って略直線状になる把手において、前記第２の軸支部の少なくとも上端位置には、前記把手本体が略く字状に折れ曲がった状態で、前記第２の把手部材の他端部を位置決め保持する位置決め手段が設けられていることを特徴としている。
【００２３】
本願の請求項２に係る把手は、請求項１記載の把手において、前記第２の軸支部は、容器の外面に沿って上下方向に伸びる略直方体の凸部であって、その側面には容器の外面に沿って上下方向に伸びるスリット又は案内溝を有しており、前記第２の把手部材の他端部は、前記第２の軸支部に嵌合し得るように略Ｕ字状にされており、この先端部には前記スリット又は案内溝にスライド可能に軸支されるガイド棒が設けられている。
【００２４】
このような請求項１及び２の把手による場合、前記把手本体が略く字状に折れ曲がった状態で、前記第２の把手部材の他端部を位置決め保持する位置決め手段が設けられているので、当該把手本体を安定して持つことができる。しかも、従来例と比べて把手本体、軸支部及び第２の軸支部と部品点数が少なく、且つ組み立てが容易であることから、低コスト化を図る上でメリットがある。
【００２５】
本願の請求項３に係る把手は、請求項１又は２記載の把手において、前記位置決め手段は、前記第２の軸支部の上端位置に設けられた係止溝であることを特徴としている。このような把手による場合、前記把手本体が略く字状に折れ曲がったり容器の外面に沿って略直線状になったりした状態で、前記第２の把手部材の他端部がクリック感をもって位置決め保持されるので、使い勝手が良くなる。
【００２６】
本願の請求項４に係る容器は、請求項１、２又は３記載の把手を有することを特徴としている。よって、請求項１、２又は３記載の把手と同様の効果を奏する。
【図面の簡単な説明】
【図１】本発明の実施の形態に係る容器に用いられる把手の概略的側面図である。
【図２】本把手の第１の把手部材を説明するための図であって、（ａ）は概略的正面図、（ｂ）は概略的側面図、（ｃ）は概略的背面図である。
【図３】本把手の第１及び第２の把手部材が取り外された状態を示す概略的側面図である。
【図４】本把手の第２の把手部材を説明するための図であって、（ａ）は概略的正面図、（ｂ）は概略的側面図、（ｃ）は概略的背面図である。
【図５】同把手の第２の軸支部の設計変更例を示す概略的斜視図である。
【符号の説明】
１０    冷水筒
１００  把手本体
１１０  第１の把手部材
１２０  第２の把手部材
２００  第１の軸支部
３００  第２の軸支部
３１０  スリット
【図１】
2004196314.tif 000003
【図２】
2004196314.tif 000004
【図３】
2004196314.tif 000005
【図４】
2004196314.tif 000006
【図５】
2004196314.tif 000007